(57)【要約】【課題】フィルター等が取付け可能な流出口と後付け流入支管の取付けが可能な流入口とを有し、下部にはバケットを収容する泥溜め部を備えた雨水ますにおいて、比較的簡単な構造によって泥溜め部からのバケットの出し入れが可能な雨水ますを提供する。【解決手段】本発明によれば、上部に点検口と周壁に流出口とを有する略円筒形の立上り部と立上り部の下部に接続される略円筒形の有底の泥溜め部とからなるます本体と、立上り部の内部へ突出するように流出口へ取り付けられる取付け部と、立上り部の周壁に穴開けした流入側開口部へ取り付けられる流入支管と、泥溜め部の中に着脱自在に収容されるバケットとを備えており、そして立上り部の内径はバケットの外径よりも大きく、且つ立上り部の中心軸は泥溜め部の中心軸よりも流出口側へ偏心している雨水ますが提供される。【選択図】  図４
2020002530.tif 000002
【特許請求の範囲】
【請求項１】
上部に点検口と周壁に流出口とを有する略円筒形の立上り部と、前記立上り部の下部に接続される略円筒形の有底の泥溜め部とからなるます本体と、
前記立上り部の内部へ突出するように前記流出口へ取り付けられる取付け部と、
前記立上り部の周壁に穴開けした流入側開口部へ取り付けられる流入支管と、
前記泥溜め部の中に着脱自在に収容されるバケットと
を備えており、そして
前記立上り部の内径は前記バケットの外径よりも大きく、且つ前記立上り部の中心軸は前記泥溜め部の中心軸よりも流出口側へ偏心していることを特徴とする雨水ます。
【請求項２】
平面視において、前記泥溜め部の中に収容された前記バケットは、前記立上り部と前記立上り部に取り付けられた前記取付け部および前記流入支管と重なり合わない位置に配置されることを特徴とする請求項１に記載の雨水ます。
【請求項３】
前記立上り部は、上部受口の内径が下部受口の内径よりも大きく、且つ上部受口の中心軸が下部受口の中心軸から偏心している異径筒継手を介して前記泥溜め部へ接続されていることを特徴とする請求項１又は２に記載の雨水ます。
【請求項４】
前記取付け部へ流入する雨水の流れを制御するために、前記取付け部に対してバヨネット方式で着脱自在に装着される雨水制御部をさらに備えている請求項１ないし３のいずれか１項に記載の雨水ます。
【請求項５】
前記雨水制御部は、網目から出来た半球形状のフィルター、円錐状のオリフィス又は逆流防止弁である請求項１ないし４のいずれか１項に記載の雨水ます。
【発明の詳細な説明】
【技術分野】
【０００１】
本発明は、上部に点検口と周壁に流出口とを有する立上り部と、立上り部の下部に接続される泥溜め部と、泥溜め部の中に着脱自在に収容されるバケットとを備えた雨水ます又は雨水浸透ます（以下、これらをまとめて「雨水ます」ともいう。）に関し、特に立上り部の内部へ突出するように取付け部が流出口へ取り付けられており、立上り部の周壁に穴開けした流入側開口部へ流入支管が取り付けられており、そして立上り部の内径はバケットの外径よりも大きく、且つ立上り部の中心軸は泥溜め部の中心軸よりも流出口側へ偏心している雨水ますに関する。
【背景技術】
【０００２】
一般に、建物の屋根等に降った雨水は、宅地内の雨水ます等によって集められる。雨水には、泥、枯葉等の異物が混入していることがある。このため、雨水ますの外部へ泥等の異物が流出しないようにするため、例えば特開２０１７−１５０１９１号公報（特許文献１）に記載されているように、ます本体の下部には異物を捕捉するための泥溜め容器（バケット）が装着された泥溜め部を設け、ます本体の周壁内側には異物の流出を阻止するためのフィルターやオリフィス、逆流防止弁等を設けた雨水ますが知られている。
【０００３】
特許文献１に記載されているような雨水ますでは、バケットを出し入れする際、バケットがます本体の内部へ突出したフィルター等と干渉しないように、フィルター等はバケットの把手フレームに一体的に取り付けられており、そしてバケットの把手フレームは、ます本体の内壁に設けられたスライド溝へ抜き差しすることにより、内壁と密着するように取り付けおよび取り外しが可能となる構造になっている。
【０００４】
しかしながら、バケットの把手フレームにフィルター等を一体的に取り付けるという特許文献１に記載の構造は極めて複雑であり、汎用性も無いため、製造コストが極めて高価になるという問題があった。
【０００５】
また、雨水ますでは、その流入口および流出口の位置がます本体に対して不変であると、雨水ますの流入口および流出口の位置に合わせて外部接続管を配管しなければならなくなるので、配管作業が煩雑になるという問題がある。そのため、例えば特開２００３−４１６４８号公報（特許文献２）に記載されているように、外部流入管の接続位置に合わせて、ます本体の立上り部の周壁にホールソー等を用いて流入側開口部を設け、そして、流入側開口部へ流入支管を後付けすることにより流入口の位置を可変とした雨水ますが開発されている。
【０００６】
ところが、引用文献２に記載の雨水ますでは、立上り部の周壁に取り付けた流入支管または流入支管へ接続された外部流入管の端部がます本体の内部へ突出するため、泥溜め部からバケットを出し入れする際、バケットが流入支管または外部流入管の端部と干渉しないように、泥溜め部の軸心を、拡径した立上り部の軸心よりも流出口側へ偏心させて配置しなければならない。
【０００７】
そのため、引用文献２のような流入口の位置を可変とした雨水ますにおいては、さらに流出口へフィルターやオリフィス、逆流防止弁等を設けようとすると、フィルター側（流出口側）へ偏心した泥溜め部の中のバケットがフィルター等と干渉するため、引用文献１に記載されているようなフィルター等およびバケットの着脱構造でも利用しない限り、泥溜め部からバケットを出し入れできなくなるという問題があった。
【０００８】
すなわち、立上り部と、立上り部の下部にバケットを収容する泥溜め部とを備えた雨水ますにおいて、バケットの出し入れを可能にしたまま、立上り部の流出口には内部へ突出したフィルター等を設け、そして流入口にも内部へ突出することがある流入支管を取り付ける（流入口の位置を可変にする）ことは、技術的、コスト的に極めて不利であり、実際には現実的でないという問題があった。
【先行技術文献】
【特許文献】
【０００９】
【特許文献１】特開２０１７−１５０１９１号公報
【特許文献２】特開２００３−４１６４８号公報
【発明の概要】
【発明が解決しようとする課題】
【００１０】
そこで、本発明は、フィルターやオリフィス、逆流防止弁等を取り付け可能にした流出口と、流入支管を取り付け可能にした流入口とを有する立上り部と、立上り部の下部に接続される泥溜め部と、泥溜め部の中に着脱自在に収容されるバケットとを備えた雨水ますにおいて、比較的簡単な構造によって、泥溜め部からのバケットの自由な出し入れを可能にした雨水ますを提供することを目的とする。
【課題を解決するための手段】
【００１１】
本発明者等は、フィルター等の取り付け可能な流出口と、流入支管の取り付け可能な流入口とを有する立上り部と、立上り部の下部に接続される泥溜め部と、泥溜め部の中に着脱自在に収容されるバケットとを備えた雨水ますにおいて、泥溜め部からのバケットの出し入れを可能にするために、特に立上り部と泥溜め部との相対的な大きさや相対的な位置関係および両者の接続構造などについて鋭意検討を重ねた結果、立上り部の内径を泥溜め部に収容されるバケットの外径よりも大きくし、且つ立上り部の中心軸を泥溜め部の中心軸よりも流出口側へ偏心させることにより上記の課題を解決できることを見出し、本発明を完成させるに至った。
【００１２】
すなわち、本発明によれば、上部に点検口と周壁に流出口とを有する略円筒形の立上り部と立上り部の下部に接続される略円筒形の有底の泥溜め部とからなるます本体と、立上り部の内部へ突出するように流出口へ取り付けられる取付け部と、立上り部の周壁に穴開けした流入側開口部へ取り付けられる流入支管と、泥溜め部の中に着脱自在に収容されるバケットとを備えており、そして立上り部の内径はバケットの外径よりも大きく、且つ立上り部の中心軸は泥溜め部の中心軸よりも流出口側へ偏心している雨水ますが提供される。
【００１３】
なお、ここで「略円筒形」とは、全長に亘って同じ直径である円筒形のみならず、円錐形やひょうたん形など全長に亘って異なる直径部分を含む円筒形や、外周部にフランジが設けられた円筒形、周壁にスリットや孔、開口部が設けられた円筒形など含む概念である。
【００１４】
本発明の雨水ますでは、雨水の流れを制御するために、略円筒形の立上り部に設けられた流出口には、フィルターやオリフィス、逆流防止弁等の雨水制御部を取り付けるための取付け部が立上り部の内部へ突出するように取り付けられており、そして流入口は、立上り部の周壁にホールソー等を用いて流入側開口部を穴開けし、前記流入側開口部へ流入支管を取り付けることにより形成される。
【００１５】
このため、立上り部の内部には、取付け部と、流入支管または流入支管へ接続された外部流入管の端部が突出しており、そしてその下部には略円筒形の有底の泥溜め部と、泥溜め部の中から取り出し取り付け可能なバケットが備え付けられている。
【００１６】
このため、本発明の雨水ますでは、バケットを取り出せるように略円筒形の立上り部の内径が、その下部に接続される略円筒形の泥溜め部の内径および泥溜め部の中に収容される略円筒形のバケットの外径よりも大きく、且つ立上り部の中心軸は泥溜め部の中心軸よりも流出口側へ偏心されている。また、バケットの外径は泥溜め部の内径よりも小さいので、立上り部の内径が泥溜め部の内径よりも大きければ、バケットの外径よりも大きくなる。
【００１７】
本発明の雨水ますは、立上り部の内径が泥溜め部の内径よりも大きいので、泥溜め部の内壁面を立上り部の内壁面よりも内側領域へ配置しながら、立上り部の中心軸を泥溜め部の中心軸に対して偏心させて配置することができる。
【００１８】
さらに、本発明の雨水ますは、立上り部の中心軸を泥溜め部の中心軸よりも流出口側へ偏心させることができるので、平面視において、泥溜め部の中に収容されたバケットを、立上り部の周壁と、立上り部に取り付けられた取付け部と、そして流入支管と重なり合わない位置に配置することができる。別言すれば、平面視において、泥溜め部の中に収容されたバケットの外径は、立上り部の中の取付け部のマウント口と流入口の端面（内壁面）との間の距離よりも小さい。このため、本発明の雨水ますは、引用文献１に記載されているような複雑なフィルター着脱機構等を用いることなく、簡単な構造によって泥溜め部からバケットを自由に出し入れできるようになる。
【００１９】
雨水ますのます本体は、主として略円筒形の立上り部と略円筒形の有底の泥溜め部とから構成されているが、両者は必ずしも一体的に形成されている必要はなく、立上り部と泥溜め部とが別個独立した部品として形成されていてもよい。
【００２０】
立上り部と泥溜め部を別々の部品として形成すると、例えば立上り部は略円筒形であるので、汎用の円管を立上り部へ簡単に流用することが可能になる。
【００２１】
また、立上り部の直径と泥溜め部の直径が互いに異なるような場合においても、上部受口の内径が下部受口の内径よりも大きく、且つ上部受口の中心軸が下部受口の中心軸から偏心している異径筒継手を立上り部と泥溜め部の間に挟み込むことにより、立上り部と泥溜め部を所望する任意の相対的な配置において簡単に接続することができるようになる。さらに、異径筒継手を用いて立上り部と泥溜め部を接続した雨水ますは、両者を一体的に成形した雨水ますと比べて設計の自由度が増し、逆に製造コストは大幅に低減される。
【００２２】
本発明の雨水ますにおいて、取付け部のマウント口へ着脱自在に装着される雨水制御部としては、例えば網目から出来た半球形状のフィルターや円錐状のオリフィス、逆流防止弁などが挙げられる。また、雨水制御部の取付け部のマウント口へ装着はバヨネット方式を用いて装着されていること好ましい。
【００２３】
「バヨネット方式」とは、雨水制御部側のマウント受け座に設けられたバヨネット突起を、雨水制御部を周方向へ回転させることにより取付け部側のマウント口に設けられたバヨネット溝へ、嵌め込むという機構である。雨水制御部の着脱機構にバヨネット方式を用いると、比較的小さな回転角度で雨水制御部を簡単且つ確実に取付け部へ着脱できるようになるので、例えば雨水制御部に棒状の把手を取り付ければ、立上り部の上部点検口からでも、把手を操作することにより雨水制御部を簡単に着脱できるようになる。
【発明の効果】
【００２４】
本発明の雨水ますによれば、平面視において、泥溜め部の中に収容されたバケットを、立上り部の周壁と、立上り部に取り付けられた取付け部と、そして流入支管と重なり合わない位置に配置することができるので、複雑なフィルター着脱機構等を用いることなく、簡単な構造によって泥溜め部からバケットを自由に出し入れできるようになる。
【００２５】
本発明の雨水ますでは、立上り部と泥溜め部とを別個独立した部品として形成することができ、さらに上部受口の内径が下部受口の内径よりも大きく、且つ上部受口の中心軸が下部受口の中心軸から偏心している異径筒継手を立上り部と泥溜め部の間に挟み込むことにより、互いに異なる直径の立上り部と泥溜め部であっっても、所望する任意の相対的な配置において簡単に接続することができる。また、立上り部と泥溜め部を別々の部品として形成した場合は、立上り部は略円筒形であるので、汎用の円管を立上り部へ簡単に流用することができる。
【００２６】
本発明の雨水ますで使用される流入支管は、ます本体の立上り部の周壁にホールソー等を用いて流入側開口部を設け、そしてその流入側開口部へ後付けすることができるので、ます本体を外部流入管の接続位置に合わせて据付レベルや方向を調節する必要がなく、簡単に施工することができる。
【図面の簡単な説明】
【００２７】
【図１】本発明の雨水ますの一の実施形態を示す正面図である。
【図２】図１に示される本発明の雨水ますの右側面図である。
【図３】図１に示される本発明の雨水ますの左側面図である。
【図４】図１に示される本発明の雨水ますをＡ−Ａ断面で切り取った断面図である（フィルター取付け状態）。
【図５】図２に示される本発明の雨水ますをＢ−Ｂ断面で切り取った断面図である（フィルター取付け状態）。
【図６】図１に示される本発明の雨水ますをＡ−Ａ断面で切り取った断面図である（フィルター取外し状態）。
【図７】図２に示される本発明の雨水ますをＢ−Ｂ断面で切り取った断面図である（フィルター取外し状態）。
【図８】図１に示される本発明の雨水ますの平面図である（フィルター取付け状態）。
【図９】図１に示される本発明の雨水ますの平面図である（フィルター取外し状態）。
【図１０Ａ】取外したフィルター単体の正面図である。
【図１０Ｂ】取外したフィルター単体の背面図である。
【図１０Ｃ】取外したフィルター単体の左側面図である。
【発明を実施するための形態】
【００２８】
以下、本発明の一実施形態に係る雨水ますについて、図面を参照しながら詳細に説明する。なお、本発明は、以下に示される実施例に限定されるものではなく、本発明の技術的思想を逸脱しない範囲内で各種の変更が可能である。
【実施例】
【００２９】
図面を用いて、本発明の一実施形態に係る雨水ます１の主な構成を説明する。図１には、本実施形態に係る雨水ます１を正面から見た正面図が示されており、図２には、本実施形態に係る雨水ます１を右側面から見た右側面図が示されており、図３には、本実施形態に係る雨水ます１を左側面から見た左側面図が示されている。また流出口３３の取付け管３４にフィルター７を取り付けた態様において、図４には、図１に示される本実施形態に係る雨水ます１をＡ−Ａ断面で切り取った断面図が示されており、図５には、本実施形態に係る雨水ます１をＢ−Ｂ断面で切り取った断面図が示されている。さらに、図８には、流出口３３の取付け管３４にフィルター７を取り付けた態様において、本実施形態に係る雨水ます１を上方から見た平面図が示されている。
【００３０】
図１〜５，８を参照して理解されるように、本実施形態の雨水ます１は、主として上部に点検口３２と流出口３３とを有する略円筒形の立上り部３と、立上り部３の下部に接続される略円筒形の有底の泥溜め部４とからなるます本体２と、泥溜め部４の中に着脱自在に収容されるバケット５と、立上り部３と泥溜め部４との間に挟み込まれる異径管継手６とから構成されている。そして、立上り部３の流出口３３には内部へ突出した取付け管３４を介してフィルター（雨水制御部）７が取り付けられており、一方、流入口は、ホールソー等を用いて立上り部の周壁３１に流入側開口部３６を穴開けし、流入側開口部３６へ流入支管３７を取り付けることにより形成されている（図４，８参照）。また、本実施形態の雨水ます１を構成する上述の部品は、その成形性、取り扱いの容易性等を考慮して、主として塩化ビニール樹脂からできている。
【００３１】
流出口３３の取付け管３４からフィルター７を取り外した態様において、図６には、図１に示される本実施形態に係る雨水ます１をＡ−Ａ断面で切り取った断面図が示されており、図７には、本実施形態に係る雨水ます１をＢ−Ｂ断面で切り取った断面図が示されている。さらに、図９には、流出口３３の取付け管３４にフィルター７を取り外した態様において、本実施形態に係る雨水ます１を上方から見た平面図が示されている。
【００３２】
図６，７，９を参照して理解されるように、本実施形態の雨水ます１ではバケット５を取り出せるように、立上り部３の内径がその下部に接続される泥溜め部４の内径および泥溜め部４の中に収容されるバケット５の外径よりも大きく、且つ立上り部３の中心軸３０が泥溜め部４の中心軸４０よりも流出口３３側へ偏心されている。また、バケット５の外径は泥溜め部４の内径よりも小さいので、立上り部３の内径が泥溜め部４の内径よりも大きければ、バケット５の外径よりも大きくなる（図９参照）。
【００３３】
本実施形態の雨水ます１は、立上り部３の内径が泥溜め部４の内径よりも大きいので、泥溜め部４の内壁面を立上り部３の内壁面よりも内側領域へ配置しながら、立上り部３の中心軸３０を泥溜め部４の中心軸４０に対して偏心させて配置することができる。
【００３４】
また、本実施形態の雨水ます１は、立上り部３の中心軸３０を泥溜め部４の中心軸４０よりも流出口３３側へ偏心させることができるので、平面視において、泥溜め部４の中に収容されたバケット５を、立上り部３の周壁３１と、立上り部３に取り付けられた取付け管３４と、そして流入支管３７と重なり合わない位置に配置することができる（図９参照）。別言すれば、平面視において、泥溜め部４の中に収容されたバケット５の外径は、立上り部３の中の取付け管３４のマウント口３５と流入口の端面（内壁面）との間の距離よりも小さい。このため、本実施形態の雨水ます１は、複雑なフィルター着脱機構等を用いることなく、簡単な構造によって泥溜め部４からバケット５を自由に出し入れできるようになる。
【００３５】
雨水ます１のます本体２は、主として略円筒形の立上り部３と略円筒形の有底の泥溜め部４とから構成されているが、両者は必ずしも一体的に形成されている必要はなく、本実施形態のように、立上り部３と泥溜め部４とが別個独立した部品として形成されていてもよい。
【００３６】
本実施形態のように立上り部３と泥溜め部４を別々の部品として形成すると、立上り部３は略円筒形であるので、汎用の円管を立上り部３へ簡単に流用することが可能になる。
【００３７】
本実施形態の雨水ます１では、上述したように、立上り部３の直径と泥溜め部４の直径が互いに異なっているが、上部受口６０の内径が下部受口６２の内径よりも大きく、且つ上部受口の中心軸６１が下部受口の中心軸６３から偏心している異径筒継手６を立上り部３と泥溜め部４の間に挟み込んでいるので、立上り部３と泥溜め部４を所望する任意の相対的な配置において簡単に接続することができる。また、本実施形態のように異径筒継手６を用いて立上り部３と泥溜め部４を接続した雨水ます１は、両者を一体的に成形した雨水ますと比べて設計の自由度が増し、逆に製造コストを大幅に低減することができる。
【００３８】
図４，５，８には、流出口３３の取付け管３４にフィルター７を取り付けた態様における本実施形態に係る雨水ます１の断面図や平面図が示されており、図６，７，９には、流出口３３の取付け管３４からフィルター７を取り外した態様における本実施形態に係る雨水ます１の断面図や平面図が示されている。また、図１０Ａ，１０Ｂおよび１０Ｃには、流出口３３の取付け管３４から取外したフィルター７単体の正面図，背面図および左側面図が示されている。
【００３９】
本実施形態の雨水ます１では、取付け管３４のマウント口３５へ着脱自在に装着されるフィルターやオリフィス、逆流防止弁等の雨水制御部７の一つとして、網目から出来た半球形状のフィルター７が使用されている。また、フィルター（雨水制御部）７の取付け管３４のマウント口３５へ装着はバヨネット方式を用いて装着されている。
【００４０】
ここで、「バヨネット方式」とは、フィルター（雨水制御部）７側のマウント受け座７０に設けられたバヨネット突起を、フィルター本体（制御部本体）７１を周方向へ回転させることにより取付け管３４側のマウント口３５に設けられたバヨネット溝へ、嵌め込むという機構である。フィルター７等の着脱機構にバヨネット方式を用いると、小さな回転角度でフィルター７等を簡単且つ確実に取付け管３４へ着脱できるようになるので、本実施形態のように、フィルター７に棒状の把手７２を取り付ければ、立上り部３の上部点検口３２からでも、把手７２を操作することによりフィルター７を簡単に着脱できるようになる。
【００４１】
本実施形態の立上り部３は、雨水ます１の高さを調節するため、任意の高さ（長さ）に切断することが可能であり、規格化された汎用の円管を使用することができる。このため、本実施形態の雨水ます１は、施工現場において、設置環境に合わせて様々な深さの設置場所へ設置することができる。
【００４２】
泥溜め部４は雨水ます１の専用の部品であるが、上述したように異径管継手６を介して立上り部３の下部へ接続されるので、立上り部３の口径に左右させることなく任意の口径を有する泥溜め部４を準備することが可能となり、製作しなければならない泥溜め部４の種類の数を抑えることができる。
【００４３】
泥溜め部４の中に収容されるバケット５は有底の筒状体であり、バケット５に滞留させた雨水を泥溜め部４へ排出するために泥溜め部４の内径より小さな外径を有しており、泥溜め部４との間には隙間が形成されている（図８，９参照）。
【００４４】
図１〜３を参照して理解されるように、本実施形態の泥溜め部４はその側壁に縦長で複数の透水スリット４１を設けてもよいし、勿論、設けなくてもよい。透水スリット４１は複数の透水孔又は透水スリット４１と透水孔とを組み合わせたものへ置き換えてもよい。そして、透水スリット４１を設けた場合は、バケット５は、バケット５を泥溜め部４の中へ装着した時、泥溜め部４の透水スリット４１の上端よりも高い位置に配置される複数の貫通孔（図示せず）を設けることが好ましい。また、バケット５の貫通孔も、複数の貫通スリット又は貫通孔と貫通スリットとの組み合わせたものへ置き換えてもよい。
【００４５】
このように、雨水ます１の下部に、バケット５を囲むように側壁に複数の透水スリット４１が設けた場合も、泥溜め部４の中にはバケット５が着脱自在に装着される。流入支管３７を通して流入した泥、枯葉等の異物を含む雨水はバケット５内へ流入するが、バケット５の下部領域には貫通孔が設けられていないので、バケット５内へ流入した雨水等は一旦バケット５内の下部領域に滞留し、雨水等に含まれる異物はバケット５内の下部領域にそのまま堆積する。そしてバケット５内に雨水等が溜ってくると、バケット５内に滞留した雨水等の上澄み液のみがバケット５の上部領域に設けられた貫通孔を通してバケット５の外部へ排出され、バケット５の外部へ排出された雨水等の上澄み液は、次いで泥溜め部４に設けられ透水スリット４１を通して泥溜め部４の外部へ排水される。
【００４６】
このため、上述のように泥溜め部４の側壁に複数の透水スリット４１を設け、バケットには、泥溜め部４の透水スリット４１の上端よりも高い位置に貫通孔を設けると、雨水ます１は浸透ますとしても機能し、そして雨水等に含まれる異物はバケット５内の下部領域に残留することになるため、異物が雨水ますから、雨水ます１の外部に敷き詰めた砕石槽（図示せず）へ向けて流出することがなくなり、前記砕石槽の目詰まりを防止することができる。
【００４７】
また、泥溜め部４の中に装着されるバケット５は、上述のように着脱自在であるため、堆積した異物を除去する際も、バケット５をます本体２の点検口３２から抜き出して、バケット５内の異物を廃棄するといった極めて簡単な作業で済ませることができるので、雨水ます１のメンテナンス性が向上する。
【００４８】
なお、本実施形態の雨水ます１では、泥溜め部４の透水スリット４１またはバケット５の貫通孔のいずれか一方を省略してもよく、或いは透水スリット４１および貫通孔の両方を省略してもよい。泥溜め部４の透水スリット４１を省略した場合、雨水ます１は浸透ますとして機能しなくなるが、通常の雨水ます１として使用することができる。
【００４９】
本実施形態の雨水ます１は、外部から雨水ます１へ雨水等を流入させるための流入口として、外部から雨水ますへ連通する流入支管３７（図１，６，９の右側）と、雨水ます１から外部へ雨水等を流出させるための流出口として、雨水ます１から外部へ連通する取付け管３４（図１〜３の右側）とが、それぞれの中心軸が同じ高さとなるように、そして水平方向に１８０°向きを変えた鏡面対称の配置となるように立上り管３の周壁に取り付けられている。
【００５０】
本実施形態の流入支管３７は、立上り部３の周壁に設けられ流入側開口部３６に後付けすることができるので、ます本体２を外部流入管の接続位置に合わせて据付レベルや方向を調節することなく、流入支管３７を立上り部３の自由な位置（高さ、方向）に任意の方向に向けて取り付けることができる。なお、流入側開口部３６は、施工現場等にて、ホールソー等を用いて立上り部３の周壁をくり貫くことにより、立上り部３の周壁の任意の位置に設けることができる。
【００５１】
図１，４，６に示されているように、本実施形態の流入支管３７は、外部流入管と接続する受口を有する支管本体３８と、支管本体３８を支持するために立上り部３の外壁面に接着されるフランジ部を有するフランジ管３９とから構成されている。支管本体３８の受口の内部には、外部流入管の先端部を当接させるために内部へ向かって縮径するテーパー部（又は段部でもよい）を有しており、フランジ管３９のフランジ部は、立上り管３の外壁面に沿うように湾曲している（図１参照）。
【符号の説明】
【００５２】
１・・・・・雨水ます
２・・・・・ます本体
３・・・・・立上り部
３０・・・・立上り部の中心軸
３１・・・・周壁
３２・・・・点検口
３３・・・・流出口
３４・・・・取付け管（取付け部）
３５・・・・マウント口
３６・・・・流入側開口部
３７・・・・流入支管
３８・・・・支管本体
３９・・・・フランジ管
４・・・・・泥溜め部
４０・・・・泥溜め部の中心軸
４１・・・・透水スリット
５・・・・・バケット
６・・・・・異径管継手
６０・・・・上部受口
６１・・・・上部受口の中心軸
６２・・・・下部受口
６３・・・・下部受口の中心軸
７・・・・・フィルター（雨水制御部）
７０・・・・マウント受け座
７１・・・・フィルター本体（制御部本体）
７２・・・・把手
７３・・・・把手上端部の中心
７４・・・・把手取付け部を通る法線
【図１】
2020002530.tif 000003
【図２】
2020002530.tif 000004
【図３】
2020002530.tif 000005
【図４】
2020002530.tif 000006
【図５】
2020002530.tif 000007
【図６】
2020002530.tif 000008
【図７】
2020002530.tif 000009
【図８】
2020002530.tif 000010
【図９】
2020002530.tif 000011
【図１０Ａ】
2020002530.tif 000012
【図１０Ｂ】
2020002530.tif 000013
【図１０Ｃ】
2020002530.tif 000014